(57)【要約】【課題】  チャイルドシート本体の自動車のシートへの取付角度の表示を容易に視認し得るようにするとともに、取付角度表示器によって外観が損なわれることがないようにしたチャイルドシートを得ること。【解決手段】  チャイルドシート本体２０の側壁内面に自動車のシートへの取付角度を表示する取付角度表示器２４を装着し、上記チャイルドシート本体２０の側壁に上記取付角度表示器の表示を確認できる透視窓２１を設けた。【選択図】  図１
2005186907.tif 000002
【特許請求の範囲】
【請求項１】
自動車のシートに取付可能としたチャイルドシートにおいて、上記チャイルドシート本体の側壁内面に上記自動車のシートへの取付角度を表示する取付角度表示器を装着するとともに、上記チャイルドシート本体の側壁に上記取付角度表示器の表示を確認できる透視窓を設けたことを特徴とするチャイルドシート。
【請求項２】
上記取付角度表示器は、チャイルドシートの取付角度に対応して傾動する振り子を有することを特徴とする、請求項１記載のチャイルドシート。
【請求項３】
上記取付角度表示器は、少なくとも上記チャイルドシート本体の側壁と対向する面が透明板により形成されたケースを有し、そのケース内に上記振り子が内蔵されていることを特徴とする、請求項２記載のチャイルドシート。
【請求項４】
チャイルドシートが所定の取付角度位置に位置しているときに、前記透視窓を介して上記振り子の表面を視認することができることを特徴とする、請求項２または３記載のチャイルドシート。
【請求項５】
上記振り子の表面が前記ケースにおける上記振り子の背面側壁面と異なる色を有することを特徴とする、請求項２乃至４のいずれかに記載のチャイルドシート。
【請求項６】
チャイルドシート本体の座部の上面に敷設された内張クッション材に開口部または凹部が形成され、その開口部または凹部内に取付角度表示器が配設されていることを特徴とする、請求項１〜５のいずれかに記載のチャイルドシート。
【発明の詳細な説明】
【技術分野】
【０００１】
本発明はチャイルドシートに係り、特に自動車のシートに取付可能としたチャイルドシートにおいて、上記シートに取り付けるときの最適角度を検知可能としたチャイルドシートに関する。  
【背景技術】
【０００２】
一般に、例えば１歳未満のような乳幼児を自動車に乗せる場合にはチャイルドシートを使用することが行われている。このようなチャイルドシートは自動車のシートに対して着脱可能としてあり、自動車のシートから取り外した場合には、乳幼児をチャイルドシートに寝かせたまま移動するためのベビーキャリーとして、或いはベビーカーに装着してベビーカーのシートとして使用することができるようにしたものが提案されている。
【０００３】
図４は上記ベビーカー本体に装着可能としたチャイルドシート１０の概略形状を示す斜視図であって、チャイルドシート１０には逆Ｕ字状の日除け取付部材を兼ねるハンドル１１が揺動固定可能に設けられている。すなわち、チャイルドシート１０の両側部にはハンドル取付部１２が設けられており、そのハンドル取付部１２にハンドル１１の基端部が揺動固定可能に装着されている。そして、自動車のシートから取り外した場合には、図５に示すように、ベビーカー本体１３に装着し、ベビーカーのシートとして使用することができる。
【０００４】
一方、チャイルドシート１０を自動車のシート部に設けられているシートベルトを使用してシートに装着固定する場合には、図６に示すように、チャイルドシート１０を自動車のシート１４上に乗せ自動車のシートベルト１５を引き出し、腰ベルト１５ａをチャイルドシート１０の座部の両側面に設けられているベルトガイド１６に挟み込み、その後、上記シーベルト１５の差込金具を自動車側のバックルに差し込む。そこで、シートベルト１５の肩ベルト１５ｂを図の点線で示すように引き出してチャイルドシート１０の背面側に回してそのチャイルドシート１０の背面に設けられている第２のベルトガイド１７に挟み込むことによって、そのチャイルドシート１０を自動車のシートに装着固定する。
【０００５】
ところで、自動車のシートの座面は水平に近い座面から急な傾斜角をもったものまで自動車により様々な角度となっているので、チャイルドシート１０を上述のように自動車のシートに固定する場合には、チャイルドシート１０が自動車のシートに適正な角度で取り付けられているか否かを確認する必要がある。特に、ロッキングチェアとしても使用可能な、チャイルドシート本体の底面が円弧状をしているものにおいては、自動車のシートに対してチャイルドシート１０は任意の角度で取り付けることができるので、チャイルドシート１０を自動車のシートに固定する場合には、その都度チャイルドシート１０が適正な角度で取り付けられているかを確認する必要がある。そこで、そのような確認を行うことができるように、従来チャイルドシートに取付角度表示器を設けることが提案されている。
【特許文献１】特開２０００−２１１２８９号公報
【発明の開示】
【発明が解決しようとする課題】
【０００６】
ところが、上記従来のチャイルドシートにおける取付角度表示器はチャイルドシート本体の下部側面や後方等の見難い場所に設けられているため視認することを忘れることがあり、しかも表示器の全部もしくは一部が表出しており、チャイルドシートの外観が損なわれる可能性がある等の問題がある。
【０００７】
本発明は、このような点に鑑み外観が損なわれることがなく、しかも上記取付角度の表示を容易に視認し得るようにしたチャイルドシートを得ることを目的とする。
【課題を解決するための手段】
【０００８】
請求項１に係る発明は、自動車のシートに取付可能としたチャイルドシートにおいて、上記チャイルドシート本体の側壁内面に上記自動車のシートへの取付角度を表示する取付角度表示器を装着するとともに、上記チャイルドシート本体の側壁に上記取付角度表示器の表示を確認できる透視窓を設けたことを特徴とする。
【０００９】
しかして、取付角度表示器がチャイルドシート本体の内部に配設されており、外部に表出していないので、外観を損なうことがなく、しかもチャイルドシート本体の側壁に設けられた透視窓から容易に表示器の表示を視認することができる。
【００１０】
請求項２に係る発明は、請求項１に係る発明において、取付角度表示器は、チャイルドシートの取付角度に対応して傾動する振り子を有することを特徴とする。
【００１１】
このように、取付角度表示器は単に振り子を有するのみであるためその機構が極めて簡単なものとすることができる。
【００１２】
請求項３に係る発明は、請求項２に係る発明において、取付角度表示器は、少なくとも上記チャイルドシート本体の側壁と対向する面が透明板により形成されたケースを有し、そのケース内に上記振り子が内蔵されていることを特徴とする。
【００１３】
しかして、取付角度表示器を極めてコンパクトに構成することができ、チャイルドシート本体内に容易に配置することができる。
【００１４】
請求項４に係る発明は、請求項２または３に係る発明において、チャイルドシートが所定の取付角度位置に位置しているときに、前記透視窓を介して上記振り子を視認することができることを特徴とする。
【００１５】
しかして、透視窓を介して上記振り子の位置を視認するだけで容易に取付角度を確認することができる。
【００１６】
請求項５に係る発明は、請求項２乃至４のいずれかに係る発明において、上記振り子の表面が前記ケースにおける上記振り子の背面側壁面と異なる色を有することを特徴とする。
【００１７】
したがって、透視窓から見える色によってチャイルドシートの取付角度が適正になっているか否かを確認することができる。
【００１８】
請求項６に係る発明は、請求項１乃至５のいずれかに係る発明において、チャイルドシート本体の座部の上面に敷設された内張クッション材に開口部または凹部が形成され、その開口部または凹部内に取付角度表示器が配設されていることを特徴とする。
【００１９】
しかして、取付角度表示器がチャイルドシート本体の座部の上面に敷設された内張クッション材に設けられた開口部または凹部内に配設されているので、上記取付角度表示器が邪魔になることがなく、乳幼児の居住性を確保することができる。
【発明の効果】
【００２０】
本発明は、チャイルドシート本体の側壁内面に上記自動車のシートへの取付角度を表示する取付角度表示器を装着するとともに、上記チャイルドシート本体の側壁に上記取付角度表示器の表示を確認できる透視窓を設けたので、取付角度表示器がチャイルドシート本体の内部に配設されており、外部に表出していないので、外観を損なうことがなく、しかもチャイルドシート本体の側壁に設けられた透視窓から容易に表示器の表示を視認することができる。
【発明を実施するための最良の形態】
【００２１】
以下、添付図面を参照して本発明の実施の形態を説明する。
【００２２】
図１は、本発明のチャイルドシートの外観を示す斜視図であり、チャイルドシート本体２０の前部側の側壁には、開口或いは透視板を有する透視窓２１が設けられている。一方、図２に示すように、チャイルドシート本体２０の座部の上面に敷設された内張クッション材２２には、上記透視窓２１と対向する位置に開口部２３が設けられており、その開口部２３内にチャイルドシート本体２０の取付角度表示器２４が配設され、その取付角度表示器２４がチャイルドシート本体２０の内壁面に固着されている。なお、上記開口部２３の代わりに内張クッション材２２に凹部を設けてその凹部内に上記取付角度表示器２４を配設してもよい。
【００２３】
上記取付角度表示器２４は、図３に示すように、少なくとも上記チャイルドシート本体２０の側壁と対向する面が透明板２５ａにより形成されたケース２５を有し、そのケース２５内に振り子２６が内蔵されており、その振り子２６が軸２７を中心として揺動可能にケース２５に装着されている。そして、チャイルドシート本体２０が自動車のシートに適正取付角度で取り付けられている場合に、上記振り子２６の表面が前記チャイルドシート本体２０に形成されている透視窓２１から見えるようにしてある。
【００２４】
上記振り子２６の前記透視窓２１と対向する表面は、例えば緑色としてあり、一方前記ケース２５における上記振り子の背面側壁面２５ｂは例えば赤色に着色されている。
【００２５】
しかして、チャイルドシート本体を適正角度で自動車のシートに装着した場合には、振り子２６の表面の色である緑色が透視窓２１から見え、チャイルドシート本体が適正角度で自動車のシートに装着されていることを視認することができる。一方、チャイルドシート本体が適正角度で取り付けられていない場合には、上記振り子２６が正規位置から軸２７を中心として揺動し、上記振り子２６が透視窓２１と対向する位置から左または右に移動する。したがって、透視窓２１からは振り子の背面側壁面２５ｂの赤色が見えることとなり、チャイルドシート本体が適正角度で取り付けられていないことを確認することができる。
【００２６】
このように、本実施の形態においては、透視窓２１から見える色によってチャイルドシート本体２０の取付角度が適正であるか否かを容易に視認することができる。しかも、上記取付角度表示器２４がチャイルドシート本体２０の内面側に配設されているので外観を損なうことがなく、また、ケース２５内に振り子２６を内蔵するのみであるので、その機構も極めて簡単なものとすることができる。さらに内張クッション材２２の開口部或いは凹部内に取付角度表示器２４を配設した場合には、上記取付角度表示器２４により乳幼児の居住性が損なわれることもない。
【図面の簡単な説明】
【００２７】
【図１】本発明のチャイルドシート本体の外観を示す斜視図。
【図２】取付角度表示器の装着状態を示す図。
【図３】取付角度表示器の構成を示す一部破断斜視図。
【図４】チャイルドシートの概略形状を示す斜視図。
【図５】チャイルドシートをベビーカーに装着した状態を示す図。
【図６】チャイルドシートを自動車のシートに取り付けた状態を示す図。
【符号の説明】
【００２８】
１０  チャイルドシート本体
１１  ハンドル
１３  ベビーカー
１４  自動車のシート
１５  シートベルト
２０  チャイルドシート本体
２１  透視窓
２２  内張クッション材
２３  開口部
２４  取付角度表示器
２５  ケース
２５ａ透明板
２６  振り子
２７  軸
【図１】
2005186907.tif 000003
【図２】
2005186907.tif 000004
【図３】
2005186907.tif 000005
【図４】
2005186907.tif 000006
【図５】
2005186907.tif 000007
【図６】
2005186907.tif 000008